(57)【要約】      （修正有）【課題】虫除け作用を有するマスキングテープを提供する。【解決手段】マスキングテープ１は、芯材３に、裏面に接着層を有する紙製の基材２が巻回されている。基材２の左右の側部２Ａには、それぞれ虫除け作用を有する水溶液が含浸されている。側部２Ａの幅は、テープ幅の略２０％で構成されている。芯材３は円筒形であり、基材２は帯状の紙製であり、裏面に接着層を有する。【選択図】図１
0003194116.tif 000002
【実用新案登録請求の範囲】
【請求項１】
芯材と、基材と、該基材の下面に接着層と、を備え、
前記基材の材質は紙であり、
前記芯材に前記基材が巻回されたテープの側面を、虫除け作用を有する液体に所定時間浸すことにより、前記テープの側部に所定幅、前記虫除け作用を有する液体が含浸された、
マスキングテープ。
【請求項２】
前記虫除け作用を有する液体は、
シトロネラ、ユーカリシトリオドラ、ゼラニウム、レモングラスからなる群から選択される少なくとも１つより抽出した精油と、
アルコールと、
水と、
を含む水溶液である、
請求項１に記載のマスキングテープ。
【請求項３】
前記精油は、前記シトロネラの生葉を乾燥させた葉を水蒸気蒸留して抽出する、
請求項２に記載のマスキングテープ。
【請求項４】
前記所定幅は、前記テープの幅の５％から３０％である、
請求項１乃至３のいずれか１項に記載のマスキングテープ。
【請求項５】
前記テープの両側部に、前記虫除け作用を有する液体が含浸された、
請求項１乃至４のいずれか１項に記載のマスキングテープ。
【考案の詳細な説明】
【技術分野】
【０００１】
本考案は、マスキングテープに関し、特に機能性を有するマスキングテープに関する。
【背景技術】
【０００２】
従来、マスキングテープは、塗装やシーリングなどの際に、作業箇所以外を汚さないために貼る保護用の粘着テープとして用いられることが一般的である。また、仮止めテープとして用いられることもある。このように、マスキングテープは、作業後に剥がすことを前提としているため、セロハンテープやガムテープに比べて粘着力が弱い。
【０００３】
また、マスキングテープには、紙製やビニール製のものがある。テープ基材の質感に着目して、装飾やラッピング・メモなどに使われることもある。
【０００４】
一方、機能性を有するテープやシートとして、例えば特許文献１に機能性シートが開示されている。この機能性シート１は、表面層２と中間層３と裏面層４の端部が互いに熱圧着によって一体化されていて、中間層３に忌避剤、消臭剤、芳香剤、抗菌剤などの揮発性薬剤が含められている。そして、裏面層４に接着剤７が塗布されている（特許文献１の第１図及び第４（ａ）図参照）。
【先行技術文献】
【特許文献】
【０００５】
【特許文献１】実用新案登録第３１７８８３４号公報
【考案の概要】
【考案が解決しようとする課題】
【０００６】
マスキングテープは、塗装やシーリングなど外の作業現場で用いられることが多く、特に夏場は蚊や蜂などの虫が多く、作業に支障が出る場合があった。
【０００７】
一方、特許文献１の機能性シートにおいて、中間層に防虫剤を含むことも考えられるが、構造が複雑でコストもかかる。また、虫除けシールなる物も販売されているが、これもマスキングテープに比べて高価であるし、マスキングテープに比べて粘着力が強く、剥がしにくい。また、これを構造物に貼り付けて剥がしたとき、構造物に接着剤が残る場合もある。
【０００８】
そこで、本考案の考案者は、マスキングテープの弱粘着性とテープ基材に着目し、貼り剥がしがしやすく、構造が単純でコストを抑えた、虫除け作用を有するマスキングテープを提供することを目的とする。
【課題を解決するための手段】
【０００９】
上記の課題を解決するために本考案に係るマスキングテープは、芯材と、基材と、該基材の下面に接着層と、を備え、前記基材の材質は紙であり、前記芯材に前記基材が巻回されたテープの側面を、虫除け作用を有する液体に所定時間浸すことにより、前記テープの側部に所定幅、前記虫除け作用を有する液体が含浸されている。
【００１０】
この構成によれば、マスキングテープに虫除け作用を含むことができる。また、テープにマスキングテープを用いているので、セロハンテープ、ガムテープ、シールなどよりも、粘着性が比較的弱いため、貼り剥がしがしやすいし、接着剤の後残りを防止する。これにより、衣服、体、構造物など、さまざまな用途に用いることができる。
【００１１】
また、基材の材質に紙を用いているため、液体が含浸しやすく加工が容易である。また、液体を基材の側部にのみ含浸させているため、マスキングテープの粘着力を維持することができる。基材の全てに含浸させるとマスキングテープの粘着力が弱くなり過ぎ、マスキングテープとしての機能を失うおそれがある。
【００１２】
芯材に基材が巻回されたテープの側面を、虫除け作用を有する液体に所定時間浸すことで、マスキングテープに虫除け作用を付与できるので、製造が容易であるし、既存のマスキングテープへの加工も容易である。また、これにより、巻回されたテープ全ての側部に液体を含浸させることができる。なお、所定時間は、１分から３０分が好ましく、マスキングテープの側部に含浸させる液体の分量等により選択する。より好ましくは、５分から２０分である。
【００１３】
また、このマスキングテープは、前記虫除け作用を有する液体が、シトロネラ、ユーカリシトリオドラ、ゼラニウム、レモングラスからなる群から選択される少なくとも１つより抽出した精油と、アルコールと、水と、を含む水溶液である。
【００１４】
この構成によれば、虫除け効果と香りをマスキングテープに付与することができる。また、好ましくは、精油はシトロネラより抽出した精油である。シトロネラは比較的虫除け作用が強いためである。また、精油にアルコールと水を混ぜることで、精油のみに比べて、液体が基材に含浸しやすくなる。
【００１５】
また、このマスキングテープは、前記精油が、前記シトロネラの生葉を乾燥させた葉を水蒸気蒸留して抽出する。この構成によれば、シトロネラの生葉を乾燥させて水蒸気抽出するので、生葉の異臭を抑えることができる。
【００１６】
また、このマスキングテープは、前記所定幅が、前記テープの幅の５％から３０％である。この構成によれば、十分な虫除け作用を付与しながら、マスキングテープの粘着性も得られる。なお、この観点から、より好ましくは１０％から２０％である。
【００１７】
また、このマスキングテープは、前記テープの両側部に、前記虫除け作用を有する液体が含浸されてもよい。
【考案の効果】
【００１８】
以上のように、本考案に係るマスキングテープは、貼り剥がしがしやすく、構造が単純でコストが低く、虫除け作用を有する。
【図面の簡単な説明】
【００１９】
【図１】本考案の一実施形態に係るマスキングテープを示す斜視図である。
【図２】本考案の一実施形態に係るマスキングテープの製造工程を示す説明図である。
【考案を実施するための形態】
【００２０】
以下、本考案に係る一実施形態を図面に基づき説明するが、本考案はこの実施形態に限定されるものではない。特に、下記実施形態は両側部に液体を含浸させた一例であるが、一方側部にのみ液体を含浸させてもよい。
【００２１】
＜１．マスキングテープの構造＞
図１に示すように、マスキングテープ１は、基材２と、芯材３とを備える。芯材３は、円筒形で、紙製である。なお、芯材３は紙製に限らず、樹脂製でもよく、円筒形の紙の両側部に樹脂を組み合わせてもよい。基材２は、帯状の紙製であり、裏面に接着層を有する。基材２は、芯材３に巻回されている。なお、本実施形態の基材２の幅は約１５ｍｍである。
【００２２】
基材２の左右の側部２Ａには、それぞれ虫除け作用を有する水溶液Ａが含浸されている。本実施形態においては一例として、側部２Ａの幅は、テープ幅の略２０％で構成されている。なお、これに限られず、側部２Ａの幅は、例えばテープ幅の５％、１０％、１５％、２５％、３０％などで構成してもよい。
【００２３】
本実施形態においては一例として、水溶液Ａは、水５ｍｌとアルコール１０ｍｌと精油０．１５ｍｌとを混合した水溶液である。なお、これに限られず、水溶液における水、アルコール、精油の混合比率は、例えば水５、アルコール１０、精油０．１から１としてもよく、これ以外の混合比率でもよい。
【００２４】
本実施形態においては一例として、精油に、シトロネラの生葉を乾燥させた葉を水蒸気蒸留して抽出した精油を用いている。なお、これに限られず、精油には、ユーカリシトリオドラ、ゼラニウム、レモングラスのいずれか１より抽出した精油を用いてもよい。また、シトロネラ、ユーカリシトリオドラ、ゼラニウム、レモングラスのいずれかより抽出した精油を混合した精油を用いてもよい。
【００２５】
＜２．マスキングテープの製造工程＞
本考案の一実施形態に係るマスキングテープは、例えば次のように製造することができる。図２に示すように、マスキングテープ１１は、裏面に接着層を有する紙製帯状の基材１２と、紙製の芯材１３とを備え、基材１２が芯材１３に巻回されてなる。
【００２６】
このマスキングテープ１１を、水溶液Ａが入れられたケース１０に、一方側面を水溶液Ａに浸した状態で１５分間入れる。これにより、水溶液Ａが基材１２の一方側部に含浸される。その後、マスキングテープ１１をひっくり返し、他方側面を水溶液Ａに１５分間浸しておく。これにより、水溶液Ａが基材１２の他方側部にも含浸される。
【００２７】
その後、マスキングテープ１１をケース１０より取り出し、マスキングテープ１１を自然乾燥させる。これにより、基材１２の両側部が虫除け作用を有する液体で含浸されたマスキングテープとなる。
【００２８】
＜３．その他の実施形態＞
以上のとおり、図面を参照しながら本考案の好適な実施形態を説明したが、本考案の趣旨を逸脱しない範囲内で、種々の追加、変更または削除が可能である。したがって、そのようなものも本考案の範囲内に含まれる。
【符号の説明】
【００２９】
１  マスキングテープ
２  基材
２Ａ  側部
３  芯材
１１  マスキングテープ
１２  基材
１３  芯材
Ａ  水溶液
【図１】
0003194116.tif 000003
【図２】
0003194116.tif 000004